(57)【要約】【課題】取付溝と、位置決めタブを取り付ける工程とを省くことにより、製造工程を簡易化し、製造コストを低減することができる小型メモリーカードアダプターを提供すること。【解決手段】小型メモリーカードアダプターは、小型メモリーカード（例えば、マイクロフラッシュ）に標準のメモリーカードインターフェースとの互換性を持たせるために、前記小型メモリーカードを受け入れる。前記小型メモリーカードアダプターは、ベース、カバーおよび接続モジュールを含む。前記ベースの一端部にソケットが形成され、該ソケットは、挿入された小型メモリーカードを固定するために前記ソケットの内面に一体に形成された位置決めタブを有する。金属パネルが、電磁妨害を防止するために接地点に電気的に接続された接触突起を有する。【選択図】図１
0003118821.tif 000002
【実用新案登録請求の範囲】
【請求項１】
ベース、接続モジュール、カバーおよび金属パネルを有する小型メモリーカードアダプターであって、前記ベースは、小型メモリーカードを受け入れるために前記ベースの一端部に形成されたソケットと、該ソケットの内面に一体に形成された位置決めタブと、等間隔に配置されかつ前記ベースの他端部に設けられた複数の貫通口とを有し、前記接続モジュールはプリント基板を含み、該プリント基板は、前記ベースの前記貫通口に対応するように前記プリント基板の一端部に形成された複数の接点と、前記プリント基板の他端部に形成された複数の接続ピンと、前記プリント基板の頂面に形成されかつ前記接点の１つに接続された接地点とを有し、前記接続ピンの一端部は前記接点に接続され、前記接続ピンの他端部は、前記小型メモリーカードに電気的に接続されるように前記ソケットに固定され、前記カバーは、該カバーの頂面に形成された凹所と、前記カバーを貫通して前記凹所に形成された開口とを有し、前記金属パネルは前記凹所に固定され、前記カバーの前記開口を経て前記接地点に接続されるように前記金属パネルの縁部から延びる接触突起を有する、小型メモリーカードアダプター。
【請求項２】
前記位置決めタブは台形状である、請求項１に記載の小型メモリーカードアダプター。
【請求項３】
前記カバーの前記凹所の縁部には複数のノッチが形成され、各ノッチは、該ノッチの内面に形成された突起部を有し、前記金属パネルからは、それぞれが前記突起部に対応する複数のタブが延び、各タブは前記突起部に固定されている、請求項１に記載の小型メモリーカードアダプター。
【考案の詳細な説明】
【技術分野】
【０００１】
本考案は、メモリーカードアダプター、より具体的には、標準的なメモリーカード（例えば、ＳＤメモリーカード）インターフェースによって小型メモリーカード（例えば、マイクロフラッシュ）を読み込むことができる小型メモリーカードアダプターに関する。
【背景技術】
【０００２】
最近、デジタルプレーヤー、デジタルカメラおよび多機能携帯電話のような様々なデジタル電子装置が市場に出ている。これらの電子装置は常に多機能であり、大容量の記憶媒体を必要とする。ＳＭ（スマートメディアカード）、ＭＭＣ（マルチメディアカード）、ＳＤ（セキュアデジタルメモリーカード）、ＸＤ（ｘＤピクチャーカード）およびＭＳ（メモリースティック）のような異なるサイズおよび仕様のメモリーカードが開発された。しかし、より小型のデジタル電子装置が開発されるのに伴い、今もなお小型化に関する取り組みがなされている。そして、より小型の製品用に、Ｍｉｎｉ  ＳＤ、ＲＳ−ＭＭＣ（リデュースドサイズマルチメディアカード）およびマイクロフラッシュが開発された。
【０００３】
しかし、標準より小型のメモリーカードは、標準のインターフェースを備える装置との互換性がない。よって、前記小型のメモリーカードと前記標準のインターフェースとを相互に関連させるために、メモリーカードアダプターを使用しなければならない。
【０００４】
図７、８に示すように、ミニＳＤカードアダプターは、２つの側壁を有するベース８０と、位置決めタブ８６と、ベース８０の、ミニＳＤカードを受け入れる側と反対側の端部（以下「遠端部」という。）に設けられた回路基板８７と、金属の薄板で作られた第１のカバー８８と、第２のカバー８９とを有する。
【０００５】
ベース８０は、ミニＳＤカードを受け入れるために、前記ミニＳＤカードを受け入れる側の端部（以下「近端部」という。）に形成されたソケット８１を有する。ベース８０の前記遠端部には、複数の貫通口８２が等間隔に配置されている。ベース８０は、各側壁の外面に形成された２つの留め部材８３を有する。前記側壁の１つには、一部がソケット８１に通ずる取付溝８４が形成されている。各側壁の頂部には、２つのタブ穴８５のそれぞれが形成されている。
【０００６】
位置決めタブ８６は、その中央部に形成された突起部８６０を有し、取付溝８４に設けられる。ソケット８１に受け入れられたミニＳＤカードは、突起部８６０によって位置決めをすることができる。
【０００７】
ベース８０の前記遠端部にある回路基板８７は、貫通口８２に対応する底面に複数の接点（符号を付さない。）を有し、回路基板８７の近端部からは、複数のピン８７０が、前記ミニＳＤカードに電気的に接続されるようにソケット８１に延びる。
【０００８】
第１のカバー８８は、それぞれが、相対する２つの側部のそれぞれに設けられた２つの折り曲げられた縁部８８０を有し、各縁部８８０は、ベース８０の前記側壁の留め部材８３に対応する２つの穴８８１を有する。第１のカバー８８の近端部の２つの側部のそれぞれには、２つのタブ８８２のそれぞれが形成されている。タブ８８２は内側へ傾き、タブ穴８５より僅かに広い幅を有する。第１のカバー８８がベース８０に取り付けられるとき、４つの留め部材８３が４つの穴８８１に挿入され、２つのタブ８８２が、第１のカバー８８をベース８０に固定するために、タブ穴８５に挿入される。
【０００９】
第２のカバー８９は、ベース８０の前記遠端部に、第１のカバー８８上に取り付けられる。
【００１０】
ミニＳＤカードアダプターは、ミニＳＤカードを受け入れるために、上記の要素で形成される。前記ミニＳＤカードアダプターは、標準のＳＤインターフェースに挿入することができ、これによりミニＳＤカードを標準のＳＤインターフェースを備えた装置で使用することができる。
【考案の開示】
【考案が解決しようとする課題】
【００１１】
しかし、前記ミニＳＤカードの位置決めをするための位置決めタブ８６は、ベース８０に形成された取付溝８４を要する追加の要素であり、追加の成型を必要とし、これにより製造コストが増加する。
【００１２】
図９に示すように、他の従来のミニＳＤカードアダプターは位置決めタブを有し、該位置決めタブは、上記に示した従来のミニＳＤカードアダプターの位置決めタブ８６と同じ機能を有する。
【００１３】
よって、本考案は、上記の問題を軽減し、または解消することができる小型メモリーカードアダプターを提供する。
【００１４】
本考案の主な目的は、ベースと、接続モジュールと、カバーと、金属パネルとを含む小型メモリーカードアダプターを提供することである。
【課題を解決するための手段】
【００１５】
前記ベースは近端部に形成されたソケットを有し、該ソケットの内面には、挿入された小型メモリーカードを固定するために、位置決めタブが一体に形成されており、これにより、従来技術と同じ機能を有しつつ、前記取付溝と、位置決めタブを取り付ける工程とを省くことができ、よって、本考案に係る小型メモリーカードアダプターは、製造工程を簡易化し、有用性を高め、製造コストを低減することができる。
【００１６】
接触突起が前記金属パネルの縁部から延び、前記カバーの開口に対応する前記金属パネルの底面に接触するように曲がる。前記接触突起は、接地するために前記開口を経て接地点に接続される。前記金属パネルが電磁妨害（EMI interference）を防止するため、従来のアダプターと比較してより効率がよい。
【００１７】
本考案の他の目的、利点および新規な特徴は、添付の図面に関しての以下の詳細な説明からより明らかになる。
【考案を実施するための最良の形態】
【００１８】
図１ないし３を参照すると、小型メモリーカードアダプターは、ベース１０と、カバー２０と、ベース１０とカバー２０との間に設けられた接続モジュール３０と、金属パネル４０とから構成される。
【００１９】
ベース１０は、小型メモリーカードを受け入れるために近端部に形成されたソケット１１を有し、該ソケットは、挿入された小型メモリーカードを固定するために、ソケット１１の内面に一体に形成されかつ前記内面から突出した台形状の位置決めタブ１１０を有する。ベース１０の遠端部には複数の貫通口１２が設けられている。
【００２０】
接続モジュール３０は、ベース１０の貫通口１２に対応して遠端部に設けられた複数の接点３２を備えたプリント基板３１を含み、前記小型メモリーカードアダプターは、接点３２によって外部の装置に電気的に接続される。プリント基板３１の近端部には複数の接続ピン３３が設けられ、該接続ピンの遠端部は接点３２に接続され、近端部は、前記小型メモリーカードに電気的に接続されるようにソケット１１に固定される。接地点３４がプリント基板３１の頂面に設けられ、接点３２の１つに接続される。
【００２１】
本実施例では、カバー２０は、標準的なＳＤメモリーカードの形状をなすようにベース１０に取り付けられる。カバー２０は、その頂面に形成された凹所２１を有し、該凹所の縁部には複数のノッチ２２が設けられ、さらに、各ノッチ２２は、その内面の１つに形成された突起部２２０を有する。本実施例では、突起部２２０は半円形状であり、傾斜した表面を形成するように薄い頂部と厚い底部とを有する。さらに、開口２３が、カバー２０を貫通して凹所２１に設けられている。
【００２２】
金属パネル４０の形状は凹所２１の形状に対応し、金属パネル４０の縁部から複数のタブ４１が下方へ延び、各タブ４１は、突起部２２０に対応する半円形の開口を有する。さらに、接触突起４２が金属パネル４０の縁部から延び、カバー２０の開口２３に対応する金属パネル４０の底面に向けて曲がる。
【００２３】
ベース１０、接続モジュール３０およびカバー２０が組み立てられるとき、接点３２は、外部の装置と電気的に接続されるように、対応する貫通口１２に固定され、接続ピン３３の前記近端部は、前記小型メモリーカードに電気的に接続されるようにソケット１１に固定される。金属パネル４０は凹所２１に固定され、接触突起４２は、図４に示すように、開口２３を経て接地点３４に接続される。金属パネル４０から延びる各タブ４１は、図５に示すように各突起部２２０に固定され、これにより、金属パネル４０は凹所２１に固定される。小型メモリーカードアダプターは、図６に示すように組み立てられる。
【００２４】
本考案によれば、位置決めタブ１１０が、挿入された小型メモリーカードを固定するために、ソケット１１の内面に一体に形成されることにより、従来技術と同じ機能を有しつつ、取付溝８４と、位置決めタブ８６を取り付ける工程とを省くことができ、これにより、製造工程を簡易化し、有用性を高め、製造コストを低減することができる。また、接触突起４２により開口２３を経て接地点３４に接続された金属パネル４０が電磁妨害を防止するため、従来のアダプターと比較してより効率がよい。
【００２５】
本考案の多くの特徴および利点が、本考案の構造および機能の詳細とともに上記に示されているが、開示は例示に過ぎず、実用新案登録請求の範囲に表現された語句の一般的な広い意味によって示される本考案の原理の範囲内で詳細、特に形状、大きさおよび部品の配置に関して変更がなされる場合があることは明らかである。
【図面の簡単な説明】
【００２６】
【図１】本考案に係る小型メモリーカードアダプターの分解斜視図。
【図２】本考案に係る小型メモリーカードアダプターの下方から見た分解斜視図。
【図３】本考案に係る小型メモリーカードアダプターのベースの平面図。
【図４】本考案に係る小型メモリーカードアダプターの断面図。
【図５】本考案に係る小型メモリーカードアダプターの他の断面図。
【図６】本考案に係る小型メモリーカードアダプターの斜視図。
【図７】従来の小型メモリーカードアダプターの斜視図。
【図８】従来の小型メモリーカードアダプターの分解斜視図。
【図９】他の従来の小型メモリーカードアダプターの分解斜視図。
【符号の説明】
【００２７】
１０    ベース
１１    ソケット
１２    貫通口
２０    カバー
２１    凹所
２２    ノッチ
２３    開口
３０    接続モジュール
３１    プリント基板
３２    接点
３３    接続ピン
３４    接地点
４０    金属パネル
４１    タブ
４２    接触突起
１１０    位置決めタブ
２２０    突起部
【図１】
0003118821.tif 000003
【図２】
0003118821.tif 000004
【図３】
0003118821.tif 000005
【図４】
0003118821.tif 000006
【図５】
0003118821.tif 000007
【図６】
0003118821.tif 000008
【図７】
0003118821.tif 000009
【図８】
0003118821.tif 000010
【図９】
0003118821.tif 000011